(57)【要約】      （修正有）【課題】別の無線機の動作に干渉するようなマルチ無線機デバイスのための共存技法を提供する。【解決手段】ワイヤレス通信のためのマルチ無線機ユーザ機器（ＵＥ）において、個々の無線機間の潜在的干渉が、無線機間の構成可能な論理接続によって管理される。接続は、特定の無線機がアクティブであるときを示すために無線機の間で信号を送る。接続は、無線機の動作状態に基づいて、無線機の間で異なるアクティビティタイプを示すように構成される。【選択図】図１１
2018050315.tif 000002
【特許請求の範囲】
【請求項１】
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成することと、
前記構成された論理接続を通じて、前記第１の無線機と前記第２の無線機との間で潜在的に干渉する通信のインジケーションを交換することと、
前記構成された論理接続を通じて交換された前記インジケーションに基づいて、前記第１の無線機または前記第２の無線機のうちの少なくとも１つの通信を調整することと
を備える、ワイヤレス通信の方法。
【請求項２】
前記複数の論理接続が物理接続である、請求項１に記載の方法。
【請求項３】
前記複数の論理接続がソフトウェアメッセージである、請求項１に記載の方法。
【請求項４】
前記第１のＲＡＴがワイヤレスワイドエリアネットワーク（ＷＷＡＮ）ＲＡＴである、請求項１に記載の方法。
【請求項５】
前記第２のＲＡＴがワイヤレスローカルエリアネットワーク（ＷＬＡＮ）ＲＡＴである、請求項１に記載の方法。
【請求項６】
通信を調整することが、
前記第１のＲＡＴの通信ギャップ中に前記第２のＲＡＴと通信すること、
異なるアクセスポイントを通じて前記第２のＲＡＴと通信すること、
前記第２のＲＡＴから前記第１のＲＡＴにデータ通信をハンドオーバすること、および
前記第１のＲＡＴがアイドルモードにある間、前記第１のＲＡＴの通信を保護すること、
のうちの少なくとも１つを含む、請求項１に記載の方法。
【請求項７】
前記第１のＲＡＴの前記動作状態が、使用されるキャリア周波数または無線状態のうちの１つである、請求項１に記載の方法。
【請求項８】
前記第１のＲＡＴの前記動作状態が、周波数分割複信（ＦＤＤ）モードまたは時分割複信（ＴＤＤ）モードのうちの１つである、請求項１に記載の方法。
【請求項９】
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成するための手段と、
前記構成された論理接続を通じて、前記第１の無線機と前記第２の無線機との間で潜在的に干渉する通信のインジケーションを交換するための手段と、
前記構成された論理接続を通じて交換された前記インジケーションに基づいて、前記第１の無線機または前記第２の無線機のうちの少なくとも１つの通信を調整するための手段と
を備える、ワイヤレス通信のために構成された装置。
【請求項１０】
前記第１のＲＡＴの前記動作状態が、周波数分割複信（ＦＤＤ）モードまたは時分割複信（ＴＤＤ）モードのうちの１つである、請求項９に記載の装置。
【請求項１１】
ワイヤレス通信のために構成されたコンピュータプログラム製品であって、
非一時的プログラムコードを記録したコンピュータ可読媒体を備え、前記非一時的プログラムコードが、
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成するためのプログラムコードと、
前記構成された論理接続を通じて、前記第１の無線機と前記第２の無線機との間で潜在的に干渉する通信のインジケーションを交換するためのプログラムコードと、
前記構成された論理接続を通じて交換された前記インジケーションに基づいて、前記第１の無線機または前記第２の無線機のうちの少なくとも１つの通信を調整するためのプログラムコードと
を備える、コンピュータプログラム製品。
【請求項１２】
前記第１のＲＡＴの前記動作状態が、周波数分割複信（ＦＤＤ）モードまたは時分割複信（ＴＤＤ）モードのうちの１つである、請求項１１に記載のコンピュータプログラム製品。
【請求項１３】
ワイヤレス通信のために構成された装置であって、
メモリと、
前記メモリに結合された少なくとも１つのプロセッサであって、
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成することと、
前記構成された論理接続を通じて、前記第１の無線機と前記第２の無線機との間で潜在的に干渉する通信のインジケーションを交換することと、
前記構成された論理接続を通じて交換された前記インジケーションに基づいて、前記第１の無線機または前記第２の無線機のうちの少なくとも１つの通信を調整することと
を行うように構成された少なくとも１つのプロセッサと
を備える、装置。
【請求項１４】
前記複数の論理接続が物理接続である、請求項１３に記載の装置。
【請求項１５】
前記複数の論理接続がソフトウェアメッセージである、請求項１３に記載の装置。
【請求項１６】
前記第１のＲＡＴがワイヤレスワイドエリアネットワーク（ＷＷＡＮ）ＲＡＴである、請求項１３に記載の装置。
【請求項１７】
前記第２のＲＡＴがワイヤレスローカルエリアネットワーク（ＷＬＡＮ）ＲＡＴである、請求項１３に記載の装置。
【請求項１８】
前記少なくとも１つのプロセッサが、
前記第１のＲＡＴの通信ギャップ中に前記第２のＲＡＴと通信すること、
異なるアクセスポイントを通じて前記第２のＲＡＴと通信すること、
前記第２のＲＡＴから前記第１のＲＡＴにデータ通信をハンドオーバすること、および
前記第１のＲＡＴがアイドルモードにある間、前記第１のＲＡＴの通信を保護すること、
のうちの少なくとも１つによって通信を調整するようにさらに構成された、請求項１３に記載の装置。
【請求項１９】
前記第１のＲＡＴの前記動作状態が、使用されるキャリア周波数または無線状態のうちの１つである、請求項１３に記載の装置。
【請求項２０】
前記第１のＲＡＴの前記動作状態が、周波数分割複信（ＦＤＤ）モードまたは時分割複信（ＴＤＤ）モードのうちの１つである、請求項１３に記載の装置。
【発明の詳細な説明】
【技術分野】
【０００１】
関連出願の相互参照
[0001]本出願は、その開示全体が参照により本明細書に明確に組み込まれる、ＷＡＮＧの名義で２０１２年２月８日に出願された米国仮特許出願第６１／５９６，６２５号に関する。
【０００２】
[0002]本明細書は、一般にマルチ無線技法（multi-radio techniques）に関し、より詳細には、マルチ無線機デバイス（multi-radio devices）のための共存（coexistence）技法に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ（登録商標）：Long Term Evolution）システム、および直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力または多入力多出力（ＭＩＭＯ）システムを介して確立され得る。
【０００５】
[0005]従来の先端デバイスには、異なる無線アクセス技術（ＲＡＴ：Radio Access Technology）を使用して送信／受信するための複数の無線機を含むものがある。ＲＡＴの例としては、たとえば、ユニバーサルモバイルテレコミュニケーションシステム（ＵＭＴＳ：Universal Mobile Telecommunication System）、モバイル通信用グローバルシステム（ＧＳＭ（登録商標）：Global System for Mobile Communications）、ｃｄｍａ２０００、ＷｉＭＡＸ（登録商標）、ＷＬＡＮ（たとえば、ＷｉＦｉ（登録商標））、Ｂｌｕｅｔｏｏｔｈ（登録商標）、ＬＴＥなどがある。
【０００６】
[0006]例示的なモバイルデバイスは、第４世代（４Ｇ）モバイルフォンなど、ＬＴＥユーザ機器（ＵＥ：User Equipment）を含む。そのような４Ｇフォンは、ユーザに様々な機能を提供するための様々な無線機を含み得る。この例の目的では、４Ｇフォンは、ボイスおよびデータ用のＬＴＥ無線機と、ＩＥＥＥ８０２．１１（ＷｉＦｉ）無線機と、全地球測位システム（ＧＰＳ）無線機と、Ｂｌｕｅｔｏｏｔｈ無線機とを含み、上記のうちの２つまたは４つすべてが同時に動作し得る。異なる無線機は電話にとって有用な機能を提供するが、それらを単一デバイス中に含めることは、共存の問題を生じる。詳細には、１つの無線機の動作が、場合によっては、放射性、伝導性、リソース衝突、および／または他の干渉機構を通して別の無線機の動作に干渉し得る。共存問題はそのような干渉を含む。
【０００７】
[0007]このことは、産業科学医療用（ＩＳＭ：Industrial Scientific and Medical）帯域に隣接し、この帯域との干渉を引き起こし得る、ＬＴＥアップリンクチャネルについて特に当てはまる。ＢｌｕｅｔｏｏｔｈおよびいくつかのワイヤレスＬＡＮ（ＷＬＡＮ）チャネルがＩＳＭ帯域内に入ることに留意されたい。いくつかの事例では、Ｂａｎｄ７、さらにはＢａｎｄ４０のいくつかのチャネルにおいてＬＴＥがアクティブであるとき、Ｂｌｕｅｔｏｏｔｈチャネル状態によっては、Ｂｌｕｅｔｏｏｔｈ誤り率が許容できないものになり得る。ＬＴＥに対する著しい劣化はないとしても、Ｂｌｕｅｔｏｏｔｈを用いた同時動作は、Ｂｌｕｅｔｏｏｔｈヘッドセットにおいて終端するボイスサービスの障害をまねき得る。そのような障害は、消費者にとって許容できないものであり得る。ＬＴＥ送信がＧＰＳに干渉するときには、同様の問題が存在する。ＬＴＥ自体は劣化を受けないので、現在、この問題を解決することができる機構は存在しない。
【０００８】
[0008]特にＬＴＥに関して、ＵＥは、発展型ノードＢ（ｅＮＢ、たとえば、ワイヤレス通信ネットワーク用の基地局）と通信して、ダウンリンク上でＵＥが受けた干渉をそのｅＮＢに通知することに留意されたい。さらに、ｅＮＢは、ダウンリンク誤り率を使用してＵＥにおける干渉を推定することが可能であり得る。いくつかの事例では、ｅＮＢおよびＵＥは協働して、ＵＥにおける干渉、さらにはＵＥ自体の内部の無線機に起因する干渉を低減するソリューションを見出し得る。しかしながら、従来のＬＴＥでは、ダウンリンクに関する干渉推定は、干渉に包括的に対処するためには十分でないことがある。
【０００９】
[0009]一例では、ＬＴＥアップリンク信号はＢｌｕｅｔｏｏｔｈ信号またはＷＬＡＮ信号に干渉する。しかしながら、そのような干渉は、ｅＮＢにおけるダウンリンク測定報告においては反映されない。その結果、ＵＥの側の一方的なアクション（たとえば、アップリンク信号を異なるチャネルに移動すること）は、アップリンク共存問題に気づいていないｅＮＢによって阻止され得、ｅＮＢはその一方的なアクションを取り消そうと努める。たとえば、ＵＥが接続を異なる周波数チャネル上で再確立した場合でも、ネットワークは、ＵＥを、デバイス内干渉によって損なわれた元の周波数チャネルに依然としてハンドオーバし得る。損なわれたチャネル上の所望の信号強度は、時々、ｅＮＢに対する基準信号受信電力（ＲＳＲＰ：Reference Signal Received Power）に基づく新しいチャネルの測定報告中で反映される信号強度よりも高くなり得るので、これは可能性のあるシナリオである。したがって、ｅＮＢが、ハンドオーバ決定を行うためにＲＳＲＰ報告を使用する場合、損なわれたチャネルと所望のチャネルとの間で往復して転送されるピンポン効果（ping-pong effect）が起こり得る。
【００１０】
[0010]ｅＮＢの調整（coordination）なしに単にアップリンク通信を停止することなど、ＵＥの側の他の一方的なアクションは、ｅＮＢにおける電力ループ機能不全を引き起こし得る。従来のＬＴＥに存在するさらなる問題には、共存問題を有する構成の代替として所望の構成を提案するＵＥの側の能力の一般的な欠如が含まれる。少なくともこれらの理由から、ＵＥにおけるアップリンク共存問題は長い間未解決のまま残り、ＵＥの他の無線機のパフォーマンスおよび効率を低下させ得る。
【発明の概要】
【００１１】
[0011]ワイヤレス通信のための方法が提供される。本方法は、第１の無線アクセス技術（ＲＡＴ）の第１の無線機または第２のＲＡＴの第２の無線機のうちの少なくとも１つの動作状態に基づいて、第１の無線機と第２の無線機との間に複数の論理接続を構成することを含む。本方法はまた、構成された論理接続を通じて、第１の無線機と第２の無線機との間で潜在的に干渉する通信のインジケーションを交換することを含む。本方法は、構成された論理接続を通じて交換されたインジケーションに基づいて、第１の無線機または第２の無線機のうちの少なくとも１つの通信を調整することをさらに含む。
【００１２】
[0012]ワイヤレス通信のために構成された装置が提供される。本装置は、第１の無線アクセス技術（ＲＡＴ）の第１の無線機または第２のＲＡＴの第２の無線機のうちの少なくとも１つの動作状態に基づいて、第１の無線機と第２の無線機との間に複数の論理接続を構成するための手段を含む。本装置はまた、構成された論理接続を通じて、第１の無線機と第２の無線機との間で潜在的に干渉する通信のインジケーションを交換するための手段を含む。本装置は、構成された論理接続を通じて交換されたインジケーションに基づいて、第１の無線機または第２の無線機のうちの少なくとも１つの通信を調整するための手段をさらに含む。
【００１３】
[0013]ワイヤレス通信のために構成されたコンピュータプログラム製品が提供される。本コンピュータプログラム製品は、非一時的プログラムコードを記録したコンピュータ可読媒体を含む。非一時的プログラムコードは、第１の無線アクセス技術（ＲＡＴ）の第１の無線機または第２のＲＡＴの第２の無線機のうちの少なくとも１つの動作状態に基づいて、第１の無線機と第２の無線機との間に複数の論理接続を構成するためのプログラムコードを含む。非一時的プログラムコードはまた、構成された論理接続を通じて、第１の無線機と第２の無線機との間で潜在的に干渉する通信のインジケーションを交換するためのプログラムコードを含む。非一時的プログラムコードは、構成された論理接続を通じて交換されたインジケーションに基づいて、第１の無線機または第２の無線機のうちの少なくとも１つの通信を調整するためのプログラムコードをさらに含む。
【００１４】
[0014]ワイヤレス通信のために構成された装置が提供される。本装置は、メモリと、メモリに結合された（１つまたは複数の）プロセッサとを含む。（１つまたは複数の）プロセッサは、第１の無線アクセス技術（ＲＡＴ）の第１の無線機または第２のＲＡＴの第２の無線機のうちの少なくとも１つの動作状態に基づいて、第１の無線機と第２の無線機との間に複数の論理接続を構成するように構成される。（１つまたは複数の）プロセッサはまた、構成された論理接続を通じて、第１の無線機と第２の無線機との間で潜在的に干渉する通信のインジケーションを交換するように構成される。（１つまたは複数の）プロセッサは、構成された論理接続を通じて交換されたインジケーションに基づいて、第１の無線機または第２の無線機のうちの少なくとも１つの通信を調整するようにさらに構成される。
【００１５】
[0015]以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１６】
[0016]本開示の特徴、特性、および利点は、全体を通じて同様の参照符号が同様のものを指す図面とともに、以下に記載する詳細な説明を読めばより明らかになろう。
【図面の簡単な説明】
【００１７】
【図１】一態様による多元接続ワイヤレス通信システムを示す図。
【図２】一態様による通信システムのブロック図。
【図３】ダウンリンクロングタームエボリューション（ＬＴＥ）通信における例示的なフレーム構造を示す図。
【図４】アップリンクロングタームエボリューション（ＬＴＥ）通信における例示的なフレーム構造を概念的に示すブロック図。
【図５】例示的なワイヤレス通信環境を示す図。
【図６】マルチ無線機ワイヤレスデバイスのための例示的な設計のブロック図。
【図７】所与の決定期間における７つの例示的な無線機の間のそれぞれの潜在的な衝突を示す図。
【図８】時間的な例示的な共存マネージャ（ＣｘＭ：Coexistence Manager）の動作を示す図。
【図９】隣接する周波数帯域を示すブロック図。
【図１０】本開示の一態様による、マルチ無線機共存管理のためのワイヤレス通信環境内でサポートを行うためのシステムのブロック図。
【図１１】本開示の一態様による、ＴＤＤモードのための共存インターフェースを示す図。
【図１２】本開示の一態様による、ＦＤＤモードのための共存インターフェースを示す図。
【図１３】本開示の一態様による、マルチ無線機構成のための共存インターフェースを示す図。
【図１４】本開示の一態様による、干渉を軽減するための方法を示すブロック図。
【図１５】干渉を軽減するための構成要素を採用する装置のためのハードウェア実装形態の一例を示す図。
【詳細な説明】
【００１８】
[0032]本開示の様々な態様は、たとえば、ＬＴＥ帯域と（たとえば、ＢＬ／ＷＬＡＮのための）産業科学医療用（ＩＳＭ）帯域との間に重大なデバイス内共存問題が存在し得る、マルチ無線機デバイスにおける共存問題を軽減するための技法を提供する。共存問題は、同じ無線アクセス技術（ＲＡＴ）の無線機の間にも存在し得る。たとえば、マルチプルなＷＬＡＮ無線機は、同時に動作するとき、干渉を潜在的に経験し得る。そのような動作からの干渉を低減するために、同じＲＡＴの無線機は、異なる周波数範囲内で動作するように制御され得る。
【００１９】
[0033]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装することができる。ＵＴＲＡは、広帯域ＣＤＭＡ（Ｗ−ＣＤＭＡ（登録商標）：Wideband-CDMA）および低チップレート（ＬＣＲ）を含む。ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ）などの無線技術を実装することができる。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ：3rd Generation Partnership Project）と称する団体からの文書に記載されている。ＣＤＭＡ２０００は、「第３世代パートナーシッププロジェクト２（3rd Generation Partnership Project 2）」（３ＧＰＰ２）と称する団体からの文書に記載されている。これらの様々な無線技術および規格は当技術分野で知られている。明快のために、本技法のいくつかの態様について以下ではＬＴＥに関して説明し、以下の説明の部分でＬＴＥ用語を使用する。
【００２０】
[0034]シングルキャリア変調および周波数領域等化を利用するシングルキャリア周波数分割多元接続（ＳＣ−ＦＤＭＡ）は、本明細書で説明する様々な態様とともに利用され得る技法である。ＳＣ−ＦＤＭＡは、ＯＦＤＭＡシステムと同様のパフォーマンスおよび本質的に同じ全体的な複雑さを有する。ＳＣ−ＦＤＭＡ信号は、それの固有のシングルキャリア構造ゆえに、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きな注目を集めている。それは現在、３ＧＰＰロングタームエボリューション（ＬＴＥ）、または発展型ＵＴＲＡにおけるアップリンク多元接続方式に関するワーキングアサンプションである。
【００２１】
[0035]図１を参照すると、一態様による多元接続ワイヤレス通信システムが示されている。発展型ノードＢ１００（ｅＮＢ）は、リソースおよびパラメータを割り振ること、ユーザ機器からの要求を許可／拒否することなどによってＬＴＥ通信を管理するための処理リソースとメモリリソースとを有するコンピュータ１１５を含む。ｅＮＢ１００はまたマルチプルなアンテナグループを有し、１つのグループはアンテナ１０４とアンテナ１０６とを含み、別のグループはアンテナ１０８とアンテナ１１０とを含み、追加のグループはアンテナ１１２とアンテナ１１４とを含む。図１では、アンテナグループごとに２つのアンテナのみが示されているが、アンテナグループごとにより多いまたはより少ないアンテナが利用され得る。ユーザ機器（ＵＥ）１１６（アクセス端末（ＡＴ）とも呼ばれる）がアンテナ１１２および１１４と通信している間、アンテナ１１２および１１４は、アップリンク（ＵＬ）１８８を通じてＵＥ１１６に情報を送信する。ＵＥ１２２がアンテナ１０６および１０８と通信している間、アンテナ１０６および１０８は、ダウンリンク（ＤＬ）１１６を通じてＵＥ１２２に情報を送信し、アップリンク１１４を通じてＵＥ１２２から情報を受信する。周波数分割複信（ＦＤＤ）システムでは、通信リンク１１８、１２０、１２４および１２６は、通信のための異なる周波数を使用することができる。たとえば、ダウンリンク１２０は、アップリンク１１８によって使用される周波数とは異なる周波数を使用することができる。
【００２２】
[0036]アンテナの各グループ、および／またはそれらが通信するように設計されたエリアは、しばしば、ｅＮＢのセクタと呼ばれる。この態様では、それぞれのアンテナグループは、ｅＮＢ１００によってカバーされるエリアのセクタ中のＵＥに通信するように設計される。
【００２３】
[0037]ダウンリンク１２０および１２６を通じた通信では、ｅＮＢ１００の送信アンテナは、異なるＵＥ１１６および１２２に関してアップリンクの信号対雑音比を改善するためにビームフォーミングを利用する。また、ｅＮＢが、ビームフォーミングを使用して、それのカバレージ中にランダムに分散されたＵＥに送信するほうが、ＵＥが単一のアンテナを通じてすべてのそれのＵＥに送信するよりも、隣接セル中のＵＥへの干渉が小さくなる。
【００２４】
[0038]ｅＮＢは、端末と通信するために使用される固定局であり得、アクセスポイント、基地局、または何らかの他の用語で呼ばれることもある。ＵＥは、アクセス端末、ワイヤレス通信デバイス、端末、または何らかの他の用語で呼ばれることもある。
【００２５】
[0039]図２は、ＭＩＭＯシステム２００における送信機システム２１０（ｅＮＢとしても知られる）および受信機システム２５０（ＵＥとしても知られる）の一態様のブロック図である。いくつかの事例では、ＵＥとｅＮＢの両方が、送信機システムと受信機システムとを含むトランシーバをそれぞれ有する。送信機システム２１０において、いくつかのデータストリームのトラフィックデータがデータソース２１１から送信（ＴＸ）データプロセッサ２１４に供給される。
【００２６】
[0040]ＭＩＭＯシステムは、データ送信のために複数（ＮＴ個）の送信アンテナと複数（ＮＲ個）の受信アンテナとを用いる。ＮＴ個の送信アンテナとＮＲ個の受信アンテナとによって形成されるＭＩＭＯチャネルは、空間チャネルと呼ばれることもあるＮＳ個の独立チャネルに分解され得、ここで、ＮＳ≦ｍｉｎ｛ＮＴ，ＮＲ｝である。ＮＳ個の独立チャネルの各々は１つの次元に対応する。複数の送信アンテナおよび受信アンテナによって作り出された追加の次元数が利用された場合、ＭＩＭＯシステムは改善されたパフォーマンス（たとえば、より高いスループットおよび／またはより大きい信頼性）を提供することができる。
【００２７】
[0041]ＭＩＭＯシステムは時分割複信（ＴＤＤ）および周波数分割複信（ＦＤＤ）システムをサポートする。ＴＤＤシステムでは、アップリンクおよびダウンリンク送信が同じ周波数領域上で行われるので、相反定理によるアップリンクチャネルからのダウンリンクチャネルの推定が可能である。これにより、ｅＮＢにおいて複数のアンテナが利用可能であるときには、ｅＮＢはダウンリンク上で送信ビームフォーミング利得を抽出することが可能になる。
【００２８】
[0042]一態様では、各データストリームは、それぞれの送信アンテナを通じて送信される。ＴＸデータプロセッサ２１４は、データストリーム用に選択された特定のコーディング方式に基づいて、そのデータストリームごとにトラフィックデータをフォーマットし、コーディングし、インターリーブして、コード化データを与える。
【００２９】
[0043]各データストリームのコード化データは、ＯＦＤＭ技法を使用してパイロットデータで多重化され得る。パイロットデータは、知られている方法で処理され、チャネル応答を推定するために受信機システムにおいて使用され得る、知られているデータパターンである。各データストリームの多重化されたパイロットデータおよびコード化データは、次いで、変調シンボルを与えるために、そのデータストリーム用に選択された特定の変調方式（たとえば、ＢＰＳＫ、ＱＰＳＫ、Ｍ−ＰＳＫ、またはＭ−ＱＡＭ）に基づいて変調（たとえば、シンボルマッピング）される。各データストリームのデータレート、コーディング、および変調は、メモリ２３２とともに動作するプロセッサ２３０によって実行される命令によって決定され得る。
【００３０】
[0044]次いで、それぞれのデータストリームの変調シンボルはＴＸ  ＭＩＭＯプロセッサ２２０に供給され、ＴＸ  ＭＩＭＯプロセッサ２２０はさらに（たとえば、ＯＦＤＭについて）その変調シンボルを処理することができる。次いで、ＴＸ  ＭＩＭＯプロセッサ２２０は、ＮＴ個の変調シンボルストリームをＮＴ個の送信機（ＴＭＴＲ）２２２ａ〜２２２ｔに与える。いくつかの態様では、ＴＸ  ＭＩＭＯプロセッサ２２０は、データストリームのシンボルと、シンボルの送信元のアンテナとにビームフォーミング重みを適用する。
【００３１】
[0045]各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを通じて送信するのに適した変調信号を与える。次いで、送信機２２２ａ〜２２２ｔからのＮＴ個の変調信号は、それぞれＮＴ個のアンテナ２２４ａ〜２２４ｔから送信される。
【００３２】
[0046]受信機システム２５０では、送信された変調信号は、ＮＲ個のアンテナ２５２ａ〜２５２ｒによって受信され、各アンテナ２５２からの受信信号は、それぞれの受信機（ＲＣＶＲ）２５４ａ〜２５４ｒに与えられる。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００３３】
[0047]次いで、ＲＸデータプロセッサ２６０は、ＮＲ個の受信機２５４からＮＲ個の受信シンボルストリームを受信し、特定の受信機処理技法に基づいて処理して、ＮＲ個の「検出された」シンボルストリームを提供する。次いで、ＲＸデータプロセッサ２６０は、検出された各シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理に相補的なものである。
【００３４】
[0048]（メモリ２７２とともに動作する）プロセッサ２７０は、どのプリコーディング行列を使用すべきかを周期的に決定する（後述）。プロセッサ２７０は、行列インデックス部分とランク値部分とを有するアップリンクメッセージを作成する。
【００３５】
[0049]アップリンクメッセージは、通信リンクおよび／または受信データストリームに関する様々なタイプの情報を含むことができる。次いで、アップリンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３６】
[0050]送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信されたアップリンクメッセージを抽出する。次いで、プロセッサ２３０は、ビームフォーミング重みを決定するためにどのプリコーディング行列を使用すべきかを決定し、次いで、抽出されたメッセージを処理する。
【００３７】
[0051]図３は、ダウンリンクロングタームエボリューション（ＬＴＥ）通信における例示的なフレーム構造を概念的に示すブロック図である。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示すように）ノーマルサイクリックプレフィックスの場合は７つのシンボル期間を、拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１１個のサブキャリア）をカバーし得る。
【００３８】
[0052]ＬＴＥでは、ｅＮＢは、ｅＮＢ中の各セルについてプライマリ同期信号（ＰＳＳ：Primary Synchronization Signal）とセカンダリ同期信号（ＳＳＳ：Secondary Synchronization Signal）とを送り得る。ＰＳＳおよびＳＳＳは、図３に示すように、それぞれ、ノーマルサイクリックプレフィックスをもつ各無線フレームのサブフレーム０および５の各々中のシンボル期間６および５中で送られ得る。同期信号は、セル検出および獲得のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨは、特定のシステム情報を搬送し得る。
【００３９】
[0053]ｅＮＢは、ｅＮＢ中の各セルについてセル固有基準信号（ＣＲＳ：Cell-specific Reference Signal）を送り得る。ＣＲＳは、ノーマルサイクリックプレフィックスの場合は各スロットのシンボル０、１、および４中で送られ得、拡張サイクリックプレフィックスの場合は各スロットのシンボル０、１、および３中で送られ得る。ＣＲＳは、物理チャネルのコヒーレント復調、タイミングおよび周波数追跡、無線リンク監視（ＲＬＭ：Radio Link Monitoring）、基準信号受信電力（ＲＳＲＰ）、および基準信号受信品質（ＲＳＲＱ：Reference Signal Received Quality）測定などのためにＵＥによって使用され得る。
【００４０】
[0054]ｅＮＢは、図３に示すように、各サブフレームの最初のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図３に示す例では、Ｍ＝３である。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図３に示す例でも、ＰＤＣＣＨおよびＰＨＩＣＨは最初の３つのシンボル期間中に含まれている。ＰＨＩＣＨは、ハイブリッド自動再送要求（ＨＡＲＱ：Hybrid Automatic Repeat Request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００４１】
[0055]ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００４２】
[0056]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）中に配置され得る。各ＲＥＧは、１つのシンボル期間中の４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の設定可能なシンボル期間において、周波数上で拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００４３】
[0057]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００４４】
[0058]図４は、アップリンクロングタームエボリューション（ＬＴＥ）通信における例示的なフレーム構造を概念的に示すブロック図である。アップリンクのために利用可能なリソースブロック（ＲＢ：Resource Block）は、データセクションと制御セクションとに区分され得る。制御セクションは、システム帯域幅の２つのエッジにおいて形成され得、設定可能なサイズを有し得る。制御セクション中のリソースブロックは、制御情報を送信するためにＵＥに割り当てられ得る。データセクションは、制御セクション中に含まれないすべてのリソースブロックを含み得る。図４の設計は、データセクション中の連続するサブキャリアのすべてを単一のＵＥに割り当てることを可能にし得る連続サブキャリアを含むデータセクションを生じる。
【００４５】
[0059]ＵＥには、ｅＮＢに制御情報を送信するために制御セクション中のリソースブロックが割り当てられ得る。ＵＥには、ｅノードＢにデータを送信するためにデータセクション中のリソースブロックも割り当てられ得る。ＵＥは、制御セクション中の割り当てられたリソースブロック上の物理アップリンク制御チャネル（ＰＵＣＣＨ：Physical Uplink Control Channel）中で制御情報を送信し得る。ＵＥは、データセクション中の割り当てられたリソースブロック上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図４に示すように周波数上でホッピングし得る。
【００４６】
[0060]ＬＴＥにおけるＰＳＳ、ＳＳＳ、ＣＲＳ、ＰＢＣＨ、ＰＵＣＣＨおよびＰＵＳＣＨは、公開されている「Evolved Universal Terrestrial Radio Access (E-UTRA); Physical Channels and Modulation」と題する３ＧＰＰ  ＴＳ  ３６．２１１に記載されている。
【００４７】
[0061]一態様では、本明細書では、マルチ無線機共存ソリューションを可能にするために、３ＧＰＰ  ＬＴＥ環境などのワイヤレス通信環境内でサポートを行うためのシステムおよび方法が説明される。
【００４８】
[0062]次に図５を参照すると、本明細書で説明する様々な態様が機能することができる例示的なワイヤレス通信環境５００が示されている。ワイヤレス通信環境５００は、複数の通信システムと通信することが可能であり得るワイヤレスデバイス５１０を含むことができる。これらのシステムは、たとえば、１つまたは複数のセルラーシステム５２０および／または５３０、１つまたは複数のＷＬＡＮシステム５４０および／または５５０、１つまたは複数のワイヤレスパーソナルエリアネットワーク（ＷＰＡＮ）システム５６０、１つまたは複数のブロードキャストシステム５７０、１つまたは複数の衛星測位システム５８０、図５に示されていない他のシステム、あるいはそれらの任意の組合せを含むことができる。以下の説明では、「ネットワーク」および「システム」という用語がしばしば互換的に使用されることを諒解されたい。
【００４９】
[0063]セルラーシステム５２０および５３０はそれぞれ、ＣＤＭＡ、ＴＤＭＡ、ＦＤＭＡ、ＯＦＤＭＡ、シングルキャリアＦＤＭＡ（ＳＣ−ＦＤＭＡ）、または他の好適なシステムであり得る。ＣＤＭＡシステムは、ユニバーサル地上波無線アクセス（ＵＴＲＡ）、ｃｄｍａ２０００などの無線技術を実装することができる。ＵＴＲＡは、広帯域ＣＤＭＡ（ＷＣＤＭＡ（登録商標））およびＣＤＭＡの他の変形態を含む。その上、ｃｄｍａ２０００は、ＩＳ−２０００（ＣＤＭＡ２０００  １Ｘ）、ＩＳ−９５およびＩＳ−８５６（ＨＲＰＤ）規格をカバーする。ＴＤＭＡシステムは、モバイル通信用グローバルシステム（ＧＳＭ）、デジタルアドバンストモバイルフォンシステム（Ｄ−ＡＭＰＳ：Digital Advanced Mobile Phone System）などの無線技術を実装することができる。ＯＦＤＭＡシステムは、発展型ＵＴＲＡ（Ｅ−ＵＴＲＡ）、ウルトラモバイルブロードバンド（ＵＭＢ：Ultra Mobile Broadband）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。一態様では、セルラーシステム５２０は、カバレージ内のワイヤレスデバイスのための双方向通信をサポートすることができるいくつかの基地局５２２を含むことができる。同様に、セルラーシステム５３０は、カバレージ内のワイヤレスデバイスのための双方向通信をサポートすることができるいくつかの基地局５３２を含むことができる。
【００５０】
[0064]ＷＬＡＮシステム５４０および５５０はそれぞれ、ＩＥＥＥ８０２．１１（ＷｉＦｉ）、Ｈｉｐｅｒｌａｎなどの無線技術を実装することができる。ＷＬＡＮシステム５４０は、双方向通信をサポートすることができる１つまたは複数のアクセスポイント５４２を含むことができる。同様に、ＷＬＡＮシステム５５０は、双方向通信をサポートすることができる１つまたは複数のアクセスポイント５５２を含むことができる。ＷＰＡＮシステム５６０は、Ｂｌｕｅｔｏｏｔｈ（ＢＴ）、ＩＥＥＥ８０２．１５などの無線技術を実装することができる。さらに、ＷＰＡＮシステム５６０は、ワイヤレスデバイス５１０、ヘッドセット５６２、コンピュータ５６４、マウス５６６など、様々なデバイスのための双方向通信をサポートすることができる。
【００５１】
[0065]ブロードキャストシステム５７０は、テレビジョン（ＴＶ）ブロードキャストシステム、周波数変調（ＦＭ）ブロードキャストシステム、デジタルブロードキャストシステムなどであり得る。デジタルブロードキャストシステムは、ＭｅｄｉａＦＬＯ（登録商標）、ハンドヘルド用デジタルビデオ放送（ＤＶＢ−Ｈ：Digital Video Broadcasting for Handhelds）、地上波テレビジョン放送用統合サービスデジタル放送（ＩＳＤＢ−Ｔ：Integrated Services Digital Broadcasting for Terrestrial Television Broadcasting）などの無線技術を実装することができる。さらに、ブロードキャストシステム５７０は、一方向通信をサポートすることができる１つまたは複数のブロードキャスト局５７２を含むことができる。
【００５２】
[0066]衛星測位システム５８０は、米国の全地球測位システム（ＧＰＳ）、欧州のＧａｌｉｌｅｏシステム、ロシアのＧＬＯＮＡＳＳシステム、日本の準天頂衛星システム（ＱＺＳＳ：Quasi-Zenith Satellite System）、インドのインド地域航法衛星システム（ＩＲＮＳＳ：Indian Regional Navigational Satellite System）、中国のＢｅｉｄｏｕシステム、および／または任意の他の好適なシステムであり得る。さらに、衛星測位システム５８０は、位置決定用の信号を送信するいくつかの衛星５８２を含むことができる。
【００５３】
[0067]一態様では、ワイヤレスデバイス５１０は、固定でも移動でもあり得、ユーザ機器（ＵＥ）、移動局、モバイル機器、端末、アクセス端末、加入者ユニット、局などと呼ばれることもある。ワイヤレスデバイス５１０は、セルラーフォン、携帯情報端末（ＰＤＡ）、ワイヤレスモデム、ハンドヘルドデバイス、ラップトップコンピュータ、コードレスフォン、ワイヤレスローカルループ（ＷＬＬ：wireless local loop）局などであり得る。さらに、ワイヤレスデバイス５１０は、セルラーシステム５２０および／または５３０、ＷＬＡＮシステム５４０および／または５５０、ＷＰＡＮシステム５６０をもつデバイス、および／または任意の他の好適な（１つまたは複数の）システムおよび／または（１つまたは複数の）デバイスとの双方向通信に関与することができる。ワイヤレスデバイス５１０は、追加または代替として、ブロードキャストシステム５７０および／または衛星測位システム５８０から信号を受信することができる。概して、ワイヤレスデバイス５１０は、所与の瞬間において任意の数のシステムと通信することができることが諒解できよう。また、ワイヤレスデバイス５１０は、同時に動作するそれの構成無線デバイスのうちの様々なデバイス間の共存問題に遭遇し得る。したがって、デバイス５１０は、以下でさらに説明するように、共存問題を検出し、軽減するための機能モジュールを有する共存マネージャ（ＣｘＭ、図示せず）を含む。
【００５４】
[0068]次に図６を参照すると、図５の無線機またはワイヤレスデバイス５１０の実装形態として使用され得る、マルチ無線機ワイヤレスデバイス６００の例示的な設計を示すブロック図が与えられている。図６が示すように、ワイヤレスデバイス６００は、それぞれＮ個のアンテナ６１０ａ〜６１０ｎに結合され得るＮ個の無線機６２０ａ〜６２０ｎを含むことができ、ここで、Ｎは任意の整数値であり得る。ただし、それぞれの無線機６２０は任意の数のアンテナ６１０に結合され得、マルチプルな無線機６２０はまた所与のアンテナ６１０を共有することもできることを諒解されたい。
【００５５】
[0069]概して、無線機６２０は、電磁スペクトルのエネルギーを放射または放出するか、電磁スペクトルのエネルギーを受け取るか、あるいは伝導性手段を通じて伝搬するエネルギーを発生するユニットであり得る。例として、無線機６２０は、システムまたはデバイスに信号を送信するユニット、あるいはシステムまたはデバイスから信号を受信するユニットであり得る。したがって、無線機６２０は、ワイヤレス通信をサポートするために利用され得ることが諒解できよう。別の例では、無線機６２０はまた、他の無線機のパフォーマンスに影響を及ぼし得る雑音を放出するユニット（たとえば、コンピュータ上のスクリーン、回路基板など）であり得る。したがって、さらに、無線機６２０は、ワイヤレス通信をサポートすることなしに雑音および干渉を発するユニットでもあり得ることが諒解できよう。
【００５６】
[0070]一態様では、それぞれの無線機６２０は、１つまたは複数のシステムとの通信をサポートすることができる。マルチプルな無線機６２０は、追加的にまたは代替的に、所与のシステムが、たとえば、異なる周波数帯域（セルラー帯域およびＰＣＳ帯域）上で送信または受信するために使用され得る。
【００５７】
[0071]別の態様では、デジタルプロセッサ６３０が、無線機６２０ａ〜６２０ｎに結合され得、無線機６２０を通じて送信または受信されるデータの処理など、様々な機能を実行することができる。各無線機６２０の処理は、その無線機によってサポートされる無線技術に依存し得、送信機の場合は暗号化、符号化、変調などを含み、受信機の場合は復調、復号、解読などを含むことができる。一例では、デジタルプロセッサ６３０は、本明細書で概して説明するように、ワイヤレスデバイス６００の性能を改善するために無線機６２０の動作を制御することができる共存マネージャ（ＣｘＭ）６４０を含むことができる。共存マネージャ６４０は、無線機６２０の動作を制御するために使用される情報を記憶することができるデータベース６４４にアクセスすることができる。以下でさらに説明するように、共存マネージャ６４０は、無線機間の干渉を減少させるための様々な技法について適応され得る。一例では、共存マネージャ６４０は、ＩＳＭ無線機がＬＴＥ非アクティビティ期間中に通信することを可能にする測定ギャップパターンまたはＤＲＸサイクルを要求する。
【００５８】
[0072]簡単のために、デジタルプロセッサ６３０は、図６ではシングルプロセッサとして示されている。しかしながら、デジタルプロセッサ６３０は、任意の数のプロセッサ、コントローラ、メモリなどを含むことができることを諒解されたい。一例では、コントローラ／プロセッサ６５０は、ワイヤレスデバイス６００内の様々なユニットの動作を指示することができる。追加的にまたは代替的に、メモリ６５２が、ワイヤレスデバイス６００のためのプログラムコードおよびデータを記憶することができる。デジタルプロセッサ６３０、コントローラ／プロセッサ６５０、およびメモリ６５２は、１つまたは複数の集積回路（ＩＣ）、特定用途向け集積回路（ＡＳＩＣ）などで実装され得る。特定の非限定的な例として、デジタルプロセッサ６３０は、移動局モデム（ＭＳＭ：Mobile Station Modem）ＡＳＩＣ上で実装され得る。
【００５９】
[0073]一態様では、共存マネージャ６４０は、それぞれの無線機６２０間の衝突に関連する干渉および／または他のパフォーマンス低下を回避するために、ワイヤレスデバイス６００によって利用されるそれぞれの無線機６２０の動作を管理することができる。共存マネージャ６４０は、図１１に示すプロセスなど、１つまたは複数のプロセスを実行し得る。さらなる例として、図７の図式７００に、所与の決定期間における７つの例示的な無線機間のそれぞれの潜在的な衝突を表す。図式７００に示す例では、７つの無線機は、ＷＬＡＮ送信機（Ｔｗ）と、ＬＴＥ送信機（Ｔｌ）と、ＦＭ送信機（Ｔｆ）と、ＧＳＭ／ＷＣＤＭＡ送信機（Ｔｃ／Ｔｗ）と、ＬＴＥ受信機（Ｒｌ）と、Ｂｌｕｅｔｏｏｔｈ受信機（Ｒｂ）と、ＧＰＳ受信機（Ｒｇ）とを含む。４つの送信機は、図式７００の左側にある４つのノードによって表されている。４つの受信機は、図式７００の右側にある３つのノードによって表されている。
【００６０】
[0074]送信機と受信機との間の潜在的な衝突は、送信機のノードと受信機のノードとを接続しているブランチによって図式７００上に表されている。したがって、図式７００に示す例では、衝突は、（１）ＷＬＡＮ送信機（Ｔｗ）とＢｌｕｅｔｏｏｔｈ受信機（Ｒｂ）との間、（２）ＬＴＥ送信機（Ｔｌ）とＢｌｕｅｔｏｏｔｈ受信機（Ｒｂ）との間、（３）ＷＬＡＮ送信機（Ｔｗ）とＬＴＥ受信機（Ｒｌ）との間、（４）ＦＭ送信機（Ｔｆ）とＧＰＳ受信機（Ｒｇ）との間、（５）ＷＬＡＮ送信機（Ｔｗ）とＧＳＭ／ＷＣＤＭＡ送信機（Ｔｃ／Ｔｗ）とＧＰＳ受信機（Ｒｇ）との間に存在し得る。
【００６１】
[0075]一態様では、例示的な共存マネージャ６４０は、図８の線図８００によって示す方法などの方法で時間的に動作することができる。線図８００が示すように、共存マネージャ動作についてのタイムラインは、任意の好適な一様または非一様な長さ（たとえば、１００μｓ）であり得る決定ユニット（ＤＵ：Decision Unit）に分割され得、ＤＵでは、通知が処理され、応答段階（たとえば、２０μｓ）では、評価段階中に取られたアクションに基づいて、コマンドが様々な無線機６２０に与えられ、および／または他の動作が実行される。一例では、線図８００に示すタイムラインは、タイムラインのワーストケース動作によって定義されたレイテンシパラメータを有することができ、たとえば、所与のＤＵ中の通知段階の終了の直後に所与の無線機から通知が取得された場合における応答のタイミングを有することができる。
【００６２】
[0076]図９に示すように、（周波数分割複信（ＦＤＤ）アップリンクのための）ｂａｎｄ７、（時分割複信（ＴＤＤ）通信のための）ｂａｎｄ４０、および（ＴＤＤダウンリンクのための）ｂａｎｄ３８にあるロングタームエボリューション（ＬＴＥ）は、Ｂｌｕｅｔｏｏｔｈ（ＢＴ）技術およびワイヤレスローカルエリアネットワーク（ＷＬＡＮ）技術によって使用される２．４ＧＨｚ産業科学医療用（ＩＳＭ）帯域と隣接している。これらの帯域についての周波数プランニングは、従来のフィルタリングソリューションが隣接する周波数における干渉を回避することを可能にするガードバンドが制限されているか、またはそれが存在しないようなものである。たとえば、ＩＳＭとｂａｎｄ７との間に２０ＭＨｚのガードバンドが存在するが、ＩＳＭとｂａｎｄ４０との間にガードバンドは存在しない。
【００６３】
[0077]適切な規格に準拠するために、特定の帯域上で動作する通信デバイスは、指定された周波数範囲全体にわたって動作可能であるべきである。たとえば、ＬＴＥ準拠であるために、移動局／ユーザ機器は、第３世代パートナーシッププロジェクト（３ＧＰＰ）によって定義されているように、ｂａｎｄ４０（２３００〜２４００ＭＨｚ）とｂａｎｄ７（２５００〜２５７０ＭＨｚ）の両方全体上で通信することが可能であるべきである。十分なガードバンドなしに、デバイスは、帯域干渉を生じる他の帯域に重複するフィルタを採用する。ｂａｎｄ４０フィルタは、帯域全体をカバーするために幅１００ＭＨｚであるので、それらのフィルタからのロールオーバは、干渉を生じるＩＳＭ帯域にクロスオーバする。同様に、ＩＳＭ帯域全体（たとえば、２４０１〜約２４８０ＭＨｚ）を使用するＩＳＭデバイスは、隣接するｂａｎｄ４０およびｂａｎｄ７にロールオーバするフィルタを採用し、干渉を引き起こし得る。
【００６４】
[0078]ＵＥに関して、たとえば、（たとえば、Ｂｌｕｅｔｏｏｔｈ／ＷＬＡＮ用の）ＬＴＥおよびＩＳＭ帯域などのリソース間にデバイス内共存問題が存在し得る。現在のＬＴＥ実装形態では、ＬＴＥに対する干渉問題は、ＵＥによって報告されるＤＬ測定値（たとえば、基準信号受信品質（ＲＳＲＱ）メトリックなど）および／またはＤＬ誤り率に反映され、ｅＮＢは、それらのダウンリンク測定値および／またはダウンリンク誤り率を使用して、たとえば、共存問題のないチャネルまたはＲＡＴにＬＴＥを移動させる周波数間またはＲＡＴ間ハンドオフ決定を行うことができる。しかしながら、たとえば、ＬＴＥアップリンクがＢｌｕｅｔｏｏｔｈ／ＷＬＡＮへの干渉を引き起こしているが、ＬＴＥダウンリンクがＢｌｕｅｔｏｏｔｈ／ＷＬＡＮからの干渉を経験しない場合、これらの既存の技法は機能しないことが諒解できよう。より詳細には、ＵＥがそれ自体をアップリンク上の別のチャネルに自律的に移動させる場合でも、ｅＮＢは、場合によっては、負荷分散の目的でＵＥを問題があるチャネルにハンドオーバし戻す可能性がある。いずれの場合も、既存の技法では、問題があるチャネルの帯域幅を最も効率的な方法で使用することが可能にならないことが諒解できよう。
【００６５】
[0079]次に図１０を参照すると、マルチ無線機共存管理のためのワイヤレス通信環境内でサポートを行うためのシステム１０００のブロック図が示されている。一態様では、システム１０００は、アップリンク通信および／またはダウンリンク通信、ならびに／あるいは、互いとの任意の他の好適な通信および／またはシステム１０００中の他のエンティティとの任意の他の好適な通信に関与することができる、１つまたは複数のＵＥ１０１０および／またはｅＮＢ１０４０を含むことができる。一例では、ＵＥ１０１０および／またはｅＮＢ１０４０は、周波数チャネルおよびサブバンドを含む様々なリソースを使用して通信するように動作可能であり得、それらのリソースの一部は他の無線リソース（たとえば、ＬＴＥモデムなどのブロードバンド無線機）と潜在的に衝突し得る。別の態様では、システムは、アクセスポイントおよび／または外部ワイヤレスデバイス（図示せず）をも含み得る。したがって、ＵＥ１０１０は、本明細書で概して説明するように、ＵＥ１０１０によって利用されるマルチプルな無線機の間の共存を管理するための様々な技法を利用することができる。
【００６６】
[0080]少なくとも上記の短所を軽減するため、ＵＥ１０１０は、ＵＥ１０１０内のマルチ無線機共存のためのサポートを容易にするために、本明細書で説明しシステム１０００によって図示する、それぞれの特徴を利用することができる。たとえば、チャネル監視モジュール１０１２および共存管理モジュール１０１４が与えられ得る。チャネル監視モジュール１０１２は、無線機の間の潜在的な共存の問題を監視する。共存管理モジュール１０１４は、潜在的な干渉の問題を管理するために、共存マネージャ６４０および様々な無線機の間でコマンドを実行する。様々なモジュール１０１２〜１０１４は、いくつかの例では、図６の共存マネージャ６４０などの共存マネージャの一部として実装され得る。様々なモジュール１０１２〜１０１４などは、本明細書で説明する実施形態を実装するように構成され得る。
【００６７】
[0081]ワイヤレスローカルエリアネットワーク（ＷＬＡＮ）無線機はいくつかの動作モードを有し得る。アクセスポイント（ＡＰ）、ソフトアクセスポイント（ＳｏｆｔＡＰ）、またはピアツーピア（Ｐ２Ｐ）グループオーナー（ＧＯ）モードなどでは、ＷＬＡＮ無線機は、他のデバイスにデータをサービスし得る。局モードでは、ＷＬＡＮ無線機は、アクセスポイントまたは他のデバイスによってサービスされている。共存管理のための様々な方法は、ＷＬＡＮ無線機の動作モードに応じて適用され得る。たとえば、ＳｏｆｔＡＰまたはＰ２Ｐ  ＧＯモードにあるＷＬＡＮ無線機が共存問題に遭遇した場合、そのような問題に対処する１つの方法は、ＷＬＡＮ無線機が共存問題を回避するために異なるチャネルに切り替わることである。ＷＬＡＮ無線機と時分割複信（ＴＤＤ）ワイヤレスワイドエリアネットワーク（ＷＷＡＮ）無線機との間に潜在的干渉が存在する場合、ＷＬＡＮ通信は、ＷＷＡＮ送信または受信の間のギャップに入れられ得る。同様に、ＷＬＡＮ無線機が、ＴＤＤロングタームエボリューション（ＬＴＥ）無線機、時分割同期符号分割多元接続（ＴＤ−ＳＣＤＭＡ）無線機、またはモバイル通信用グローバルシステム（ＧＳＭ）無線機との潜在的共存問題に遭遇したとき、ＷＬＡＮ通信は、それらの潜在的に競合する無線機のギャップに入れられ得る。また、局モードにあるＷＬＡＮ無線機は、異なる周波数または帯域を使用する異なるアクセスポイントにハンドオフし得、その結果、干渉が低減し得る（たとえば、ほとんどの５ＧＨｚ対応アクセスポイントによってサポートされる２．４ＧＨｚに切り替える）。ＷＬＡＮ無線機はまた、干渉を低減するために、モバイルデバイスによるデータ通信の目的でＷＷＡＮまたは異なるネットワークにハンドオフし得る。たとえば、ＷＬＡＮ通信が、ユニバーサルモバイル電気通信システム（ＵＭＴＳ）ネットワークを使用するボイス呼と干渉し得る場合、共存マネージャは、潜在的干渉を低減するために、ＷＬＡＮとは対照的にＷＷＡＮ（ＵＭＴＳデータネットワーク）を通してデータをルーティングし得る。そのようなソリューションは１ｘ符号分割多元接続（ＣＤＭＡ）ネットワークにも適用され得る。ＷＬＡＮ無線通信はまた、アイドルモードにあるときのＷＷＡＮ無線機によるページ／測定動作を保護するように変更され得る。
【００６８】
[0082]潜在的干渉を低減するために異なる無線機間の動作を協調させるために、相対的な無線アクティビティおよび優先度を示すためのワイヤまたは論理インターフェースが無線機間に構築され得る。一態様では、３ワイヤインターフェースが無線機間に構成され得る。インターフェースは、潜在的な干渉の問題を低減するために他の無線機のいくつかの動作状態を個々の無線機に示し得る、無線機間の３つの論理コネクタを含み得る。一例として、図１１に、本開示の一態様による、ＴＤＤモードで動作するＷＷＡＮ無線機のための共存インターフェースを示す。図１１に示すように、ＷＬＡＮ無線機１１０２は、３つの論理コネクタをもつＷＷＡＮ無線機１１０４に接続される。無線機がＴＤＤモードで動作するときには、コネクタは、WWAN_Frame_Sync１１０６、WWAN_TX_ActiveおよびWWAN_RX_Priority１１０８、およびWCN_Priority１１１０であり得る。WWAN_Frame_Syncコネクタ１１０６は、無線機のＴＤＤ構成を同期させるために使用され得る。WWAN_TX_ActiveおよびWWAN_RX_Priorityコネクタ１１０８は、無線機の送信（ＴＸ）アクティビティおよび／または受信（ＲＸ）優先度を示すために使用され得る。たとえば、ＷＷＡＮ無線機は、それの動作が優先動作であるときを示すために、WWAN_TX_ActiveおよびWWAN_RX_Priorityコネクタ１１０８をアクティブに設定し得る。コネクタ１１０８が設定されたときには、ＷＬＡＮ無線機は、ＷＷＡＮ無線機と干渉しないように、それの通信動作を変更し得る。WCN_Priority（ワイヤレス通信優先度）コネクタ１１１０は、ＷＷＡＮ無線機１１０４が、ＷＬＡＮ無線機の高優先度受信と潜在的に干渉し得る送信アクティビティを停止させ得るように、別の無線機（ＷＬＡＮ無線機１１０２など）が高優先度受信に関与するときをＷＷＡＮ無線機１１０４に示すことができる。
【００６９】
[0083]フレーム同期インターフェースが使用されないとき、ＷＬＡＮ無線機と周波数分割複信（ＦＤＤ）無線機との間の協調のために、異なる３ワイヤインターフェースが構成され得る。そのようなＦＤＤ技術は、ＬＴＥ、広帯域符号分割多元接続（ＷＣＤＭＡ）、ＣＤＭＡ、およびＧＳＭを含み得る。本態様による例示的な３ワイヤを図１２に示す。WWAN_TX_Activeコネクタ１２０６は、ＷＷＡＮ無線機が送信しているときをＷＬＡＮ無線機に示すために使用されることができ、したがって、ＷＬＡＮ無線機は、ＷＷＡＮ送信時間中に、潜在的に干渉を受け得る受信アクティビティを回避し得る。WWAN_RX_Priorityコネクタ１２０８は、ＷＷＡＮが高優先度信号を受信しているときを示すために使用され得る。コネクタ１２０８が設定されたとき、ＷＬＡＮ無線機は、ＷＷＡＮ無線機と干渉しないように、それの送信アクティビティを変更し得る。WCN_Priorityコネクタ１２１０は、ＷＷＡＮ無線機１２０４が、ＷＬＡＮ無線機の高優先度受信と潜在的に干渉し得る送信アクティビティを停止させ得るように、別の無線機（ＷＬＡＮ無線機１２０２など）が高優先度受信に関与するときをＷＷＡＮ無線機１２０４に示し得る。
【００７０】
[0084]一態様では、３ワイヤインターフェースは、無線機を接続するために固定された形で物理的に構成され得るが、ピンをまたいで搬送される信号は、図１１または図１２のそれぞれのＴＤＤ構成またはＦＤＤ構成など、異なる無線構成に対応し得る。別の態様では、３ワイヤインターフェース上で搬送される信号は、マルチプルなＷＷＡＮ無線機が利用可能である構成に対応し得る。そのような構成を図１３に示す。図１３に示すように、ＷＬＡＮ無線機１３０２は、ブロック１３０４として示されるマルチプルなＷＷＡＮ無線機に接続される。この構成では、ＷＷＡＮ無線機１３０４からＷＬＡＮ無線機１３０２への各コネクタ１３０６および１３０８は、ＷＷＡＮ無線機１３０４の単一の無線アクセス技術（ＲＡＴ）無線機に対応する。たとえば、コネクタWWAN_RAT1_Active１３０６は、第１のＲＡＴ  ＷＷＡＮ無線機のアクティビティを示し、コネクタWWAN_RAT2_Active１３０８は、第２のＲＡＴ  ＷＷＡＮ無線機のアクティビティを示す。たとえば、ＲＡＴ１はＧＳＭ無線機であり得、ＲＡＴ２はＷＣＤＭＡ無線機であり得る。コネクタ１３０６またはコネクタ１３０８のいずれかがアクティブである場合、ＷＬＡＮ無線機は、アクティブＷＷＡＮ無線機と干渉しないように、それの通信動作を変更し得る。ＷＬＡＮは、コネクタ１３０６とコネクタ１３０８とに関して別様に反応し得る。すなわち、ＷＬＡＮ無線機は、コネクタ１３０６上のアクティビティに応答して１つの方法で、およびコネクタ１３０８上のアクティビティに応答して別の方法で（および潜在的に、両方のコネクタ上のアクティビティに応答して第３の方法で）、それの通信を変更し得る。WCN_Priorityコネクタ１３１０は、コネクタ１２１０または１１１０と同様に動作し、すなわち、ＷＷＡＮ無線機１３０４が、ＷＬＡＮ無線機の高優先度受信と潜在的に干渉し得る送信アクティビティを停止させ得るように、高優先度ＷＬＡＮ受信をＷＷＡＮ無線機に示すために動作し得る。
【００７１】
[0085]別の態様では、コネクタ１３０６、１３０８、および１３１０は、さらに特殊化され得る。たとえば、一態様では、コネクタ１３０６は、アクティブＧＳＭ受信を示すGSM_RX_Activeコネクタとして構成され得る。別の態様では、コネクタ１３０８は、アクティブＷＣＤＭＡ送信を示す、WCDMA_TX_Activeコネクタとして構成され得る。別の態様では、デバイスがキャリアアグリゲーションを用いるＬＴＥ無線機で構成される場合、コネクタ１３０６および１３０８は、あるキャリアではLTE_TX_Active、別のキャリアではLTE_RX_Activeなど、ＬＴＥ無線機のための個々のキャリア周波数についてのアクティビティを示すように構成され得る。コネクタの構成に応じて、ＷＬＡＮ無線機は、コネクタによって示される無線アクティビティとの潜在的干渉を低減する方法で動作し得る。
【００７２】
[0086]３ワイヤインターフェースにおける論理信号の物理プロトコルは、マルチプル無線アクセス技術の無線条件（radio condition）（ＦＤＤ／ＴＤＤ、キャリア周波数、無線状態（radio state）など）の変化に基づいて変化し得る。（１つまたは複数の）アグレッサ（aggressor）（干渉を潜在的に引き起こす無線機）および（１つまたは複数の）ビクティム（victim）（干渉を潜在的に受ける無線機）は、したがって、干渉を低減するために、現在の３ワイヤプロトコルに基づいてそれらの挙動を変更し得る。
【００７３】
[0087]論理インターフェースとして示されているが、３ワイヤインターフェースは、ソフトウェアメッセージングインターフェース、あるいはハードウェア、ソフトウェア、および／またはファームウェアの他の組合せとしても構成され得る。信号がインターフェースを通じて受け渡された結果として、異なる無線アクセス技術（ＲＡＴ）の無線機は、ＲＡＴ間の潜在的干渉を低減するようにそれらの挙動を変更し得る。
【００７４】
[0088]図１４に示すように、ＵＥは、ブロック１４０２に示すように、第１のＲＡＴの第１の無線機または第２のＲＡＴの第２の無線機のうちの少なくとも１つの動作状態に基づいて、第１の無線機と第２の無線機との間に複数の論理接続を構成する。ＵＥは、ブロック１４０４に示すように、構成された論理接続を通じて、第１の無線機と第２の無線機との間で潜在的に干渉する通信のインジケーションを交換する。ＵＥは、ブロック１４０６に示すように、構成された論理接続を通じて交換されたインジケーションに基づいて、第１の無線機または第２の無線機のうちの少なくとも１つの通信を調整する。
【００７５】
[0089]図１５は、システム１５１４を用いる装置１５００のためのハードウェア実装形態の一例を示す図である。システム１５１４は、バス１５２４によって大まかに表されるバスアーキテクチャを用いて実装され得る。バス１５２４は、システム１５１４の具体的な適用例および全体的な設計制約に応じて、任意の数の相互接続バスおよびブリッジを含み得る。バス１５２４は、プロセッサ１５２６、構成モジュール１５０２、交換モジュール１５０４および調整モジュール１５０６、およびコンピュータ可読媒体１５２８によって表される１つまたは複数のプロセッサおよび／またはハードウェアモジュールを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【００７６】
[0090]本装置は、トランシーバ１５２２に結合されたシステム１５１４を含む。トランシーバ１５２２は、１つまたは複数のアンテナ１５２０に結合される。トランシーバ１５２２は、伝送媒体を通じて様々な他の装置と通信するための手段を与える。システム１５１４は、コンピュータ可読媒体１５２８に結合されたプロセッサ１５２６を含む。プロセッサ１５２６は、コンピュータ可読媒体１５２８に記憶されたソフトウェアの実行を含む一般的な処理を担当する。ソフトウェアは、プロセッサ１５２６によって実行されたとき、システム１５１４に、特定の装置のための上記で説明した様々な機能を実行させる。コンピュータ可読媒体１５２８はまた、ソフトウェアを実行するときにプロセッサ１５２６によって操作されるデータを記憶するために使用され得る。システム１５１４は、第１の無線アクセス技術（ＲＡＴ）の第１の無線機または第２のＲＡＴの第２の無線機のうちの少なくとも１つの動作状態に基づいて、第１の無線機と第２の無線機との間に複数の論理接続を構成するための構成モジュール１５０２をさらに含む。システム１５１４は、構成された論理接続を通じて、第１の無線機と第２の無線機との間で潜在的に干渉する通信のインジケーションを交換するための交換モジュール１５０４をさらに含む。システム１５１４は、構成された論理接続を通じて交換されたインジケーションに基づいて、第１の無線機または第２の無線機のうちの少なくとも１つの通信を調整するための調整モジュール１５０６をさらに含む。モジュール１５０２〜１５０６は、プロセッサ１５２６中で動作するか、コンピュータ可読媒体１５２８中に常駐する／記憶されたソフトウェアモジュールであるか、プロセッサ１５２６に結合された１つまたは複数のハードウェアモジュールであるか、またはそれらの何らかの組合せであり得る。システム１５１４は、ＵＥ２５０の構成要素であり得、メモリ２７２および／またはプロセッサ２７０を含み得る。
【００７７】
[0091]一構成では、ワイヤレス通信のための装置１５００は、構成するための手段を含む。手段は、手段によって具陳された機能を実行するように構成された装置１５００の構成モジュール１５０２および／またはシステム１５１４であり得る。手段はまた、共存マネージャ６４０、プロセッサ２７０／６３０／６５０／１５２６、メモリ２７２／６５２、データベース６４４、および／またはコンピュータ可読媒体１５２８を含み得る。別の態様では、上述の手段は、上述の手段によって具陳された機能を実行するように構成された任意のモジュールまたは任意の装置であり得る。
【００７８】
[0092]一構成では、ワイヤレス通信のための装置１５００は、交換するための手段を含む。手段は、手段によって具陳された機能を実行するように構成された装置１５００の交換モジュール１５０４および／またはシステム１５１４であり得る。手段はまた、共存マネージャ６４０、プロセッサ２７０／６３０／６５０／１５２６、メモリ２７２／６５２、データベース６４４、コンピュータ可読媒体１５２８および／またはコネクタ１１０６、１１０８、１１１０、１２０６、１２０８、１２１０、１３０６、１３０８、１３１０を含み得る。別の態様では、上述の手段は、上述の手段によって具陳された機能を実行するように構成された任意のモジュールまたは任意の装置であり得る。
【００７９】
[0093]一構成では、ワイヤレス通信のための装置１５００は、調整するための手段を含む。手段は、手段によって具陳された機能を実行するように構成された装置１５００の調整モジュール１５０６および／またはシステム１５１４であり得る。手段はまた、共存マネージャ６４０、プロセッサ２７０／６３０／６５０／１５２６、メモリ２７２／６５２、データベース６４４、コンピュータ可読媒体１５２８、トランシーバ２５４／１５２２および／またはアンテナ２５２／６１０／１５２０を含み得る。別の態様では、上述の手段は、上述の手段によって具陳された機能を実行するように構成された任意のモジュールまたは任意の装置であり得る。
【００８０】
[0094]上記の例は、ＬＴＥシステムにおいて実装される態様について説明するものである。ただし、本開示の範囲はそのように限定されない。様々な態様は、限定はしないが、ＣＤＭＡシステム、ＴＤＭＡシステム、ＦＤＭＡシステム、およびＯＦＤＭＡシステムを含む様々な通信プロトコルのいずれかを採用した通信システムなど、他の通信システムとともに使用するように適応され得る。
【００８１】
[0095]開示したプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００８２】
[0096]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８３】
[0097]さらに、本明細書で開示した態様に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００８４】
[0098]本明細書で開示した態様に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８５】
[0099]本明細書で開示した態様に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８６】
[0100]開示した態様の前述の説明は、当業者が本開示を実施または使用できるように与えたものである。これらの態様への様々な修正は当業者には容易に明らかになり、本明細書で定義した一般原理は、本開示の趣旨または範囲から逸脱することなく他の態様に適用され得る。したがって、本開示は、本明細書で示した態様に限定されるものではなく、本明細書で開示した原理および新規の特徴に一致する最も広い範囲を与えられるべきである。
【図１】
2018050315.tif 000003
【図２】
2018050315.tif 000004
【図３】
2018050315.tif 000005
【図４】
2018050315.tif 000006
【図５】
2018050315.tif 000007
【図６】
2018050315.tif 000008
【図７】
2018050315.tif 000009
【図８】
2018050315.tif 000010
【図９】
2018050315.tif 000011
【図１０】
2018050315.tif 000012
【図１１】
2018050315.tif 000013
【図１２】
2018050315.tif 000014
【図１３】
2018050315.tif 000015
【図１４】
2018050315.tif 000016
【図１５】
2018050315.tif 000017
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成することと、
前記構成された論理接続を通じて、前記第１の無線機と前記第２の無線機との間で潜在的に干渉する通信のインジケーションを交換することと、
前記構成された論理接続を通じて交換された前記インジケーションに基づいて、前記第１の無線機または前記第２の無線機のうちの少なくとも１つの通信を調整することと
を備える、ワイヤレス通信の方法。
【手続補正２】
【補正対象書類名】明細書
【補正対象項目名】００８６
【補正方法】変更
【補正の内容】
【００８６】
[0100]開示した態様の前述の説明は、当業者が本開示を実施または使用できるように与えたものである。これらの態様への様々な修正は当業者には容易に明らかになり、本明細書で定義した一般原理は、本開示の趣旨または範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に、出願当初の特許請求の範囲に記載された発明を付記する。
［Ｃ１］
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成することと、
前記構成された論理接続を通じて、前記第１の無線機と前記第２の無線機との間で潜在的に干渉する通信のインジケーションを交換することと、
前記構成された論理接続を通じて交換された前記インジケーションに基づいて、前記第１の無線機または前記第２の無線機のうちの少なくとも１つの通信を調整することと
を備える、ワイヤレス通信の方法。
［Ｃ２］
前記複数の論理接続が物理接続である、上記Ｃ１に記載の方法。
［Ｃ３］
前記複数の論理接続がソフトウェアメッセージである、上記Ｃ１に記載の方法。
［Ｃ４］
前記第１のＲＡＴがワイヤレスワイドエリアネットワーク（ＷＷＡＮ）ＲＡＴである、上記Ｃ１に記載の方法。
［Ｃ５］
前記第２のＲＡＴがワイヤレスローカルエリアネットワーク（ＷＬＡＮ）ＲＡＴである、上記Ｃ１に記載の方法。
［Ｃ６］
通信を調整することが、
前記第１のＲＡＴの通信ギャップ中に前記第２のＲＡＴと通信すること、
異なるアクセスポイントを通じて前記第２のＲＡＴと通信すること、
前記第２のＲＡＴから前記第１のＲＡＴにデータ通信をハンドオーバすること、および
前記第１のＲＡＴがアイドルモードにある間、前記第１のＲＡＴの通信を保護すること、
のうちの少なくとも１つを含む、上記Ｃ１に記載の方法。
［Ｃ７］
前記第１のＲＡＴの前記動作状態が、使用されるキャリア周波数または無線状態のうちの１つである、上記Ｃ１に記載の方法。
［Ｃ８］
前記第１のＲＡＴの前記動作状態が、周波数分割複信（ＦＤＤ）モードまたは時分割複信（ＴＤＤ）モードのうちの１つである、上記Ｃ１に記載の方法。
［Ｃ９］
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成するための手段と、
前記構成された論理接続を通じて、前記第１の無線機と前記第２の無線機との間で潜在的に干渉する通信のインジケーションを交換するための手段と、
前記構成された論理接続を通じて交換された前記インジケーションに基づいて、前記第１の無線機または前記第２の無線機のうちの少なくとも１つの通信を調整するための手段と
を備える、ワイヤレス通信のために構成された装置。
［Ｃ１０］
前記第１のＲＡＴの前記動作状態が、周波数分割複信（ＦＤＤ）モードまたは時分割複信（ＴＤＤ）モードのうちの１つである、上記Ｃ９に記載の装置。
［Ｃ１１］
ワイヤレス通信のために構成されたコンピュータプログラム製品であって、
非一時的プログラムコードを記録したコンピュータ可読媒体を備え、前記非一時的プログラムコードが、
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成するためのプログラムコードと、
前記構成された論理接続を通じて、前記第１の無線機と前記第２の無線機との間で潜在的に干渉する通信のインジケーションを交換するためのプログラムコードと、
前記構成された論理接続を通じて交換された前記インジケーションに基づいて、前記第１の無線機または前記第２の無線機のうちの少なくとも１つの通信を調整するためのプログラムコードと
を備える、コンピュータプログラム製品。
［Ｃ１２］
前記第１のＲＡＴの前記動作状態が、周波数分割複信（ＦＤＤ）モードまたは時分割複信（ＴＤＤ）モードのうちの１つである、上記Ｃ１１に記載のコンピュータプログラム製品。
［Ｃ１３］
ワイヤレス通信のために構成された装置であって、
メモリと、
前記メモリに結合された少なくとも１つのプロセッサであって、
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成することと、
前記構成された論理接続を通じて、前記第１の無線機と前記第２の無線機との間で潜在的に干渉する通信のインジケーションを交換することと、
前記構成された論理接続を通じて交換された前記インジケーションに基づいて、前記第１の無線機または前記第２の無線機のうちの少なくとも１つの通信を調整することと
を行うように構成された少なくとも１つのプロセッサと
を備える、装置。
［Ｃ１４］
前記複数の論理接続が物理接続である、上記Ｃ１３に記載の装置。
［Ｃ１５］
前記複数の論理接続がソフトウェアメッセージである、上記Ｃ１３に記載の装置。
［Ｃ１６］
前記第１のＲＡＴがワイヤレスワイドエリアネットワーク（ＷＷＡＮ）ＲＡＴである、上記Ｃ１３に記載の装置。
［Ｃ１７］
前記第２のＲＡＴがワイヤレスローカルエリアネットワーク（ＷＬＡＮ）ＲＡＴである、上記Ｃ１３に記載の装置。
［Ｃ１８］
前記少なくとも１つのプロセッサが、
前記第１のＲＡＴの通信ギャップ中に前記第２のＲＡＴと通信すること、
異なるアクセスポイントを通じて前記第２のＲＡＴと通信すること、
前記第２のＲＡＴから前記第１のＲＡＴにデータ通信をハンドオーバすること、および
前記第１のＲＡＴがアイドルモードにある間、前記第１のＲＡＴの通信を保護すること、
のうちの少なくとも１つによって通信を調整するようにさらに構成された、上記Ｃ１３に記載の装置。
［Ｃ１９］
前記第１のＲＡＴの前記動作状態が、使用されるキャリア周波数または無線状態のうちの１つである、上記Ｃ１３に記載の装置。
［Ｃ２０］
前記第１のＲＡＴの前記動作状態が、周波数分割複信（ＦＤＤ）モードまたは時分割複信（ＴＤＤ）モードのうちの１つである、上記Ｃ１３に記載の装置。
【外国語明細書】
2018050315000001.pdf